(57)【要約】【課題】持ち歩く際にフック部材が邪魔になるのを防止でき、使用時において不用意に位置がずれて天板から外れてしまうのを確実に防止でき、いちいちバッグ等から出し入れすることなく使用でき、しかもアクセサリーとしても機能する携帯型吊下げ具を提供する。【解決手段】フック部材２０は４つの構成部材（連係部２１、２３、２５、係止部２７）が連結ピン２９を介して揺動自在に連結されて構成されている。連係部２１、２３、２５、係止部２７は中円板部３ａの周面に沿う円弧状に形成されている。フック部材２０を本体部３に巻きつけるようにして溝７に収容し、本体部３に沿う姿勢になる畳み姿勢とする。中円板部３ａの周面にはマグネット４１が設けられており、フック部材２０の係止部２７の先端部にはマグネット４３が設けられている。マグネット４１にマグネット４３が吸着されて、フック部材２０が畳み姿勢に保持される。【選択図】        図２
0003155095.tif 000002
【実用新案登録請求の範囲】
【請求項１】
テーブルの天板等に載せる本体部と、前記本体部に支持されたフック部材とを有し、前記本体部をテーブルの天板等に載せ前記フック部材にバッグ等の吊り下げ物を係止して吊り下げる携帯型吊下げ具において、前記フック部材は、前記本体部に沿う姿勢になる畳み姿勢と、前記フック部材が本体部から垂下する使用姿勢とに動作可能であることを特徴とする携帯型吊下げ具。
【請求項２】
請求項１に記載した携帯型吊下げ具において、フック部材は基端部が本体部に対し回動自在に支持され、携帯時には前記フック部材が前記本体部に沿い、使用時には前記フック部材が垂下することを特徴とする携帯型吊下げ具。
【請求項３】
請求項１または２に記載した携帯型吊下げ具において、フック部材は複数の構成部材が揺動自在に連結されて成ることを特徴とする携帯型吊下げ具。
【請求項４】
請求項１から３のいずれかに記載した携帯型吊下げ具において、本体部には溝が形成されており、前記溝にはフック部材が畳み姿勢で収容されることを特徴とする携帯型吊下げ具。
【請求項５】
請求項１から４のいずれかに記載した携帯型吊下げ具において、フック部材を畳み姿勢に保持する保持手段を備えたことを特徴とする携帯型吊下げ具。
【請求項６】
請求項１から５のいずれかに記載した携帯型吊下げ具において、本体部にはスリップ止め手段が設けられていることを特徴とする携帯型吊下げ具。
【請求項７】
請求項１から６のいずれかに記載した携帯型吊下げ具において、本体部には少なくとも一端部が着脱自在な紐状体がループ状に取り付けられていることを特徴とする携帯型吊下げ具。
【請求項８】
請求項１から７のいずれかに記載した携帯型吊下げ具において、本体部には装飾が施されており、アクセサリーとしても使用されることを特徴とする携帯型吊下げ具。
【考案の詳細な説明】
【技術分野】
【０００１】
本考案は携帯型吊下げ具に係り、特にバッグ等の吊り下げ物をテーブルの天板等に吊り下げる携帯型吊下げ具に関するものである。
【背景技術】
【０００２】
外出時には、種々の小物を入れたバッグを持ち歩くことが多い。特に、最近は携帯電話をはじめとして持ち物が多い傾向にあるので、バッグがある程度大きいものとなる。従って、外出先においてバッグの置き場所に困ることがある。例えば飲食店のカウンター席は、天板下に棚を備えているものが多いが、バッグがこの棚に収容できないものである場合は、バッグの置き場所がなく困ることになる。このような不都合に対処するため、天板にバッグを吊り下げ状態に支持するための吊下げ具があり、例えば特許文献１に記載されたものがある。
【０００３】
この特許文献１に記載された簡易吊下具はＵ字状の基体と、この基体の外側に突出した状態のフック部材を有している。この簡易吊下具は、基体をテーブルの天板に取り付け、そしてフック部材にバッグを掛けて使用する。
【先行技術文献】
【特許文献】
【０００４】
【特許文献１】特開平１１−２２５８６９号公報
【考案の概要】
【考案が解決しようとする課題】
【０００５】
しかしながら、この簡易吊下具では、フック部材が基体の外側に常に突出した状態となっているため、簡易吊下具を持ち歩く際に邪魔であり、フック部材が周囲の物品等に不用意に引っ掛かってしまうなどの問題がある。
また、簡易吊下具は、天板に載せる部分が幅寸法の小さい角棒状の部材で構成されているため、天板に接する面積が小さい。従って、バッグを吊り下げている状態でバッグに触れると、簡易吊下具の位置がずれてしまい、簡易吊下具が天板から外れてしまうおそれがある。
【０００６】
更に、従来の簡易吊下具はバッグの外側に取り付けるための機構を持たないので、使うときにはバッグから出し、使い終わるとバッグに仕舞う必要があり、簡易吊下具をいちいち出し入れしなければならず面倒である。
また、従来の簡易吊下具は何の装飾も施されていないため、アクセサリーとして機能するものではない。
【０００７】
本考案は上記従来の問題点に着目して為されたものであり、持ち歩く際にフック部材が邪魔になるのを防止でき、使用時において不用意に位置がずれて天板から外れてしまうのを確実に防止でき、いちいちバッグ等から出し入れすることなく使用でき、しかもアクセサリーとしても機能する携帯型吊下げ具を提供することを、その目的とする。
【課題を解決するための手段】
【０００８】
本考案は上記課題を解決するためになされたものであり、請求項１の考案は、テーブルの天板等に載せる本体部と、前記本体部に支持されたフック部材とを有し、前記本体部をテーブルの天板等に載せ前記フック部材にバッグ等の吊り下げ物を係止して吊り下げる携帯型吊下げ具において、前記フック部材は、前記本体部に沿う姿勢になる畳み姿勢と、前記フック部材が本体部から垂下する使用姿勢とに動作可能であることを特徴とする携帯型吊下げ具である。
【０００９】
請求項２の考案は、請求項１に記載した携帯型吊下げ具において、フック部材は基端部が本体部に対し回動自在に支持され、携帯時には前記フック部材が前記本体部に沿い、使用時には前記フック部材が垂下することを特徴とする携帯型吊下げ具である。
【００１０】
請求項３の考案は、請求項１または２に記載した携帯型吊下げ具において、フック部材は複数の構成部材が揺動自在に連結されて成ることを特徴とする携帯型吊下げ具である。
【００１１】
請求項４の考案は、請求項１から３のいずれかに記載した携帯型吊下げ具において、本体部には溝が形成されており、前記溝にはフック部材が畳み姿勢で収容されることを特徴とする携帯型吊下げ具である。
【００１２】
請求項５の考案は、請求項１から４のいずれかに記載した携帯型吊下げ具において、フック部材を畳み姿勢に保持する保持手段を備えたことを特徴とする携帯型吊下げ具である。
【００１３】
請求項６の考案は、請求項１から５のいずれかに記載した携帯型吊下げ具において、本体部にはスリップ止め手段が設けられていることを特徴とする携帯型吊下げ具である。
【００１４】
請求項７の考案は、請求項１から６のいずれかに記載した携帯型吊下げ具において、本体部には少なくとも一端部が着脱自在な紐状体がループ状に取り付けられていることを特徴とする携帯型吊下げ具である。
【００１５】
請求項８の考案は、請求項１から７のいずれかに記載した携帯型吊下げ具において、本体部には装飾が施されており、アクセサリーとしても使用されることを特徴とする携帯型吊下げ具である。
【考案の効果】
【００１６】
本考案の携帯型吊下げ具によれば、持ち歩く際にフック部材が邪魔になるのを防止できるようになる。
また、使用時において不用意に位置がずれて天板から外れてしまうのを確実に防止できるようになる。
更に、いちいちバッグ等から出し入れすることなく使用することが可能となる。
また、アクセサリーとしても機能するようになる。
【図面の簡単な説明】
【００１７】
【図１】本考案の実施の形態に係る携帯型吊下げ具の斜視図である。
【図２】図１の携帯型吊下げ具のフック部材を引き出した状態の斜視図である。
【図３】図２の携帯型吊下げ具の下面側から見た斜視図である。
【図４】図１の携帯型吊下げ具をバックに取り付けた状態の斜視図である。
【図５】図１の携帯型吊下げ具によってバッグを係止した状態の斜視図である。
【図６】図５の携帯型吊下げ具の側面図である。
【考案を実施するための形態】
【００１８】
本考案の実施の形態に係る携帯型吊下げ具１を図面にしたがって説明する。
符号３はほぼ平盤状の本体部を示し、この本体部３はある程度の厚さ寸法を持つ円板状の中円板部３ａ、この中円板部３ａに一体的に備えられた薄い円板状の上円板部３ｂ、下円板部３ｃとから構成されている。下円板部３ｃには切り欠き部４が形成されている。中円板部３ａの直径は３５ｍｍで上円板部３ｂと下円板部３ｃの直径は４５ｍｍであり、従って中円板部３ａの周面と上円板部３ｂ、下円板部３ｃの内側面とによって囲まれた溝７が形成されている。
【００１９】
上円板部３ｂの外面によって構成される本体部３の上面９と、下円板部３ｃの外面によって構成される本体部３の下面１１はある程度の大きな面積を有している。本体部３の上面９にはハートや円形等から成る模様、見る角度によって色が変化する塗装等から成る装飾１３が施されている。
また、図３に示すように本体部３の下面１１には、深さ寸法が１ｍｍの円形の溝１５が形成され、この溝１５の平坦な底面にスリップ止め手段としての薄い円板形のシート１７が貼付されている。このシート１７は直径が３５ｍｍであり、厚さ寸法が２ｍｍで溝から僅かに突出する状態で備えられている。このシート１７はＥＶＡ（エチレン酢酸ビニル共重合体）から成っており、滑り難いものとなっている。またシート１７の下面（図３では下面が上側を向いている。）はある程度の大きな面積を有している。
【００２０】
中円板部３ａの周面（溝７の底部）には連結軸１９が回動自在、且つ僅かに出入動作可能に支持されている。この連結軸１９は下円板部３ｃの切り欠き部４に対応する位置に備えられている。
符号２０はフック部材を示し、このフック部材２０は４つの構成部材としての連係部２１、２３、２５、係止部２７が連結ピン２９を介して揺動自在に連結されて構成されている。連係部２１、２３、２５、係止部２７は中円板部３ａの周面に沿う円弧状に形成されている。連係部２１、２３、２５は同じ寸法に設定され、係止部２７は連係部２１（２３、２５）の約２倍に設定されている。フック部材２０の全長は中円板部３ａの周面の長さよりも小さい寸法に設定されている。
連結軸１９の先端部には連係部２１の一端部が連結ピン２９を介して揺動自在に連結されており、フック部材２０は連結軸１９に支持されている。
【００２１】
中円板部３ａの周面にはマグネット４１が埋設状態に設けられており、マグネット４１は連結軸１９の近傍に位置している。また係止部２７の先端部にはマグネット４３が埋設状態に設けられている。
【００２２】
また、中円板部３ａの周面にはチェーン取付部４７が固定され、このチェーン取付部４７は、連結軸１９とマグネット４１との間に位置し、且つ下円板部３ｃの切り欠き部４に対応する位置に備えられている。
チェーン取付部４７にはリング４９が連結され、このリング４９には紐状体としてのチェーン５１の一端部が連結されている。またチェーン５１の他端部には留め金５７が連結されており、この留め金５７はリング４９に対し着脱することができる。従って、チェーン５１の一端部は本体部３に対し着脱自在であり、留め金５７をリング４９に連結することにより、チェーン５１は本体部３に対しループ状に取り付けられる。
【００２３】
次に、携帯型吊下げ具１の使用方法について説明する。
携帯型吊下げ具１は、フック部材２０が本体部３に形成された溝７に収容され、しかも本体部３に沿う姿勢になる畳み姿勢となっている。
携帯型吊下げ具１をバッグＢの把手に取り付けるには、留め金５７をリング４９から外し、チェーン５１を把手に通してから留め金５７をリング４９に連結して、図４に示すようにバッグＢの把手に吊り下げた状態とする。この際、携帯型吊下げ具１の本体部の上面が表側を向くようにして、装飾１３が見えるようにすれば、携帯型吊下げ具１がアクセサリーとして機能する。
【００２４】
バッグＢを持って外出し、例えば飲食店のカウンター席で、携帯型吊下げ具１によってバッグＢを吊り下げるための方法について説明する。
まず、チェーン５１を把手から外さないままで、本体部３を一方の手で持ち、もう一方の手でフック部材２０を引き出して図２に示す状態とする。そして、連結軸１９を支点としてフック部材２０を９０度回動させ、フック部材２０を本体部３から垂下する使用姿勢とする。下円板部３ｃには切り欠き４が形成されているので、フック部材２０を回動させるときに下円板部３ｃが邪魔になることがない。
【００２５】
次いで、図５、図６に示すように本体部３をカウンターテーブルの天板Ｔ端部に載せて、シート１７を天板Ｔに当接させる。この状態では、フック部材２０の係止部２７と本体部３は天板Ｔを介して対向する。
そして、バッグＢの把手をフック部材２０に掛ける。するとバッグＢの重みでシート１７が天板Ｔ上面に圧接させられて、シート１７は弾性変形して天板Ｔに密着させられる。このようにバッグＢは携帯型吊下げ具１によって係止されるので、バッグＢを置く場所が無いようなカウンター席であっても、バッグＢの置き場所に困ることがなくなる。
【００２６】
上記したようにフック部材２０の係止部２７と本体部３は天板Ｔを介して対向しているので、バッグＢの重みは本体部３の中心部分から真下に向かってかかることになる。従って、バッグＢを安定して吊り下げることができる。
しかも、前記したようにシート１７は滑り難いＥＶＡから成り、天板Ｔに密着している。またシート１７の下面、本体部３の下面１１はある程度の大きな面積を有しているので、バッグＢに手が触れるなどして携帯型吊下げ具１に対し横方向の力が加わっても、携帯型吊下げ具１の位置がずれてしまうことなく、携帯型吊下げ具１が天板Ｔから外れてしまうのを確実に防止することができる。
【００２７】
次に、携帯型吊下げ具１によって吊り下げられたバッグＢを外し、携帯型吊下げ具１を畳み姿勢にする方法について説明する。
バッグＢをフック部材２０から外してから、携帯型吊下げ具１の本体部３を一方の手で持ち、もう一方の手でフック部材２０を本体部３に巻きつけるようにして溝７に収容し、本体部３に沿う姿勢になる畳み姿勢とする。
中円板部３ａの周面にはマグネット４１が設けられており、またフック部材２０の係止部２７の先端部にはマグネット４３が設けられているので、フック部材２０を本体部３に巻きつけるようにするだけでマグネット４１にマグネット４３が吸着されて、言わば半自動的にフック部材２０は畳み姿勢となる。しかもマグネット４１が吸着されることによって、フック部材２０が畳み姿勢に保持されることになる。
【００２８】
このようにフック部材２０を畳み姿勢にすることができるので、携帯型吊下げ具１を持ち歩く際にフック部材２０が邪魔になるのを防止することができ、周囲の物品等に不用意に引っ掛かってしまうことがない。
フック部材２０は連係部２１、２３、２５、係止部２７が揺動自在に連結されて構成されているので、フック部材２０を本体部３に略ぴったり沿わせることが可能である。
また、携帯型吊下げ具１をバッグＢの把手に取り付けて吊り下げた状態にするので、携帯型吊下げ具１をいちいちバッグＢから出し入れすることなく使用することができる。
更に、チェーン５１を外すことなく携帯型吊下げ具１を使用することができるので、携帯型吊下げ具１を紛失してしまうのを完全に防止することができる。
【００２９】
以上、本考案の実施の形態について詳述してきたが、具体的構成は、この実施の形態に限られるものではなく、本考案の要旨を逸脱しない範囲における設計の変更などがあっても考案に含まれる。
上記実施の形態では、フック部材２０を４つの構成部材（連係部２１、２３、２５、係止部２７）によって構成したが、フック部材２０を３つ以下、または５つ以上の構成部材によって構成してもよい。
上記実施の形態では、スリップ止め手段としてのシート１７をＥＶＡ（エチレン酢酸ビニル共重合体）によって構成したが、これ以外の滑り難い材料によってシートを構成してもよい。
なお、中円板部３ａ、上円板部３ｂ及び下円板部３ｃの寸法は上記したものに限定されないのは勿論である。
【００３０】
上記実施の形態では、保持手段を２つのマグネット４１、４３によって構成したが、２つのマグネット４１、４３のうちいずれか一方を鉄片に換えて保持手段を構成してもよい。
上記実施の形態では、紐状体をチェーン５１によって構成したが、紐状体をロープやバンド等によって構成してもよい。
上記実施の形態では、ハートや円形等から成る模様、見る角度によって色が変化する塗装等から成る装飾１３を施したが、装飾の模様等を適宜変更してもよく、本体部そのものを種々の形状としてもよい。例えば、本体部３を円形に構成したが、本体部３をハート形や矩形に構成してもよい。このようにハート型等に形成すること自体が装飾となり、アクセサリーとしての機能もアップすることになる。
また、本体部３をほぼ平盤状と構成したが、本体部３を、例えば上面が半球状等に盛り上がった形状に構成してもよい。
【産業上の利用可能性】
【００３１】
本考案は、バッグ等の吊り下げ物を吊り下げる携帯型吊下げ具の製造業やアクセサリーの製造業に利用可能である。
【符号の説明】
【００３２】
１…携帯型吊下げ具      ３…本体部      ３ａ…中円板部
３ｂ…上円板部      ３ｃ…下円板部      ４…切り欠き部
７…溝      ９…本体部の上面      １１…本体部の下面
１３…装飾      １５…溝      １７…シート
１９…連結軸      ２０…フック部材      ２１、２３、２５…連係部
２７…係止部      ２９…連結ピン
４１、４３…マグネット      ４７…チェーン取付部
４９…リング      ５１…チェーン      ５７…留め金
Ｂ…バッグ      Ｔ…テーブルの天板
【図１】
0003155095.tif 000003
【図２】
0003155095.tif 000004
【図３】
0003155095.tif 000005
【図４】
0003155095.tif 000006
【図５】
0003155095.tif 000007
【図６】
0003155095.tif 000008